(57)【要約】【課題】被写体に視線を向ける方向を容易に判断させることのできる立体カメラを提供する。【解決手段】第１撮像系８８Ａ及び第２撮像系８８Ｂのうち何れか一方により画像情報を取得する通常撮影又は第１撮像系８８Ａ及び第２撮像系の双方により画像情報を取得する立体撮影を実行する際に、実行される撮影の種類に応じて、発光部９０の発光状態によって被写体が人である場合に視線を向ける位置を報知する。【選択図】  図２
2005037517.tif 000002
【特許請求の範囲】
【請求項１】
所定間隔隔てて配設された第１の撮像手段及び第２の撮像手段によりそれぞれ被写体像を示す画像情報を取得し、当該画像情報を合成することにより立体画像を生成する立体カメラであって、
前記第１の撮像手段及び前記第２の撮像手段のうち何れか一方により前記画像情報を取得する通常撮影又は前記第１の撮像手段及び前記第２の撮像手段の双方により前記画像情報を取得する立体撮影を実行する撮影実行手段と、
前記撮影実行手段により実行される撮影の種類に応じて、被写体が人である場合に視線を向ける位置を報知するための報知手段と、
を備えた立体カメラ。
【請求項２】
前記報知手段を、前記第１の撮像手段における前記被写体像を結像させるための第１のレンズ近傍、前記第２の撮像手段における前記被写体像を結像させるための第２のレンズ近傍及び前記第１のレンズと前記第２のレンズの中間位置と、の少なくとも１つに設けられた発光手段とした
請求項１に記載の立体カメラ。
【請求項３】
前記第１のレンズ及び前記第２のレンズの少なくとも一方の近傍に設けた発光手段を、当該レンズを囲むように発光するものとした
請求項１又は請求項２に記載の立体カメラ。
【発明の詳細な説明】
【０００１】
【発明の属する技術分野】
本発明は、所定間隔隔てて配設された第１の撮像手段及び第２の撮像手段によりそれぞれ被写体像を示す画像情報を取得し、当該画像情報を合成することにより立体画像を生成する立体カメラに関する。
【０００２】
【従来の技術】
近年、立体画像に対する関心が高まっており、立体画像が撮影可能な立体カメラが増えてきている。この種の立体カメラでは、視差を考慮した右目用の画像及び左目用の画像を取得して立体画像が得られるようになっており、一例として、１つのカメラユニットで光学的に右目用の光軸と左目用の光軸とに切り替えながら画像情報を取得するものや、異なる２位置に設けられた２つのカメラユニットを用いて右目用、左目用の画像情報を取得するものがある。
【０００３】
この種の立体カメラでは、３次元（立体）の撮影だけでなく２次元の撮影も実行可能であり、例えば、２つのカメラユニットを備えた構成においては、３次元の立体画像を撮影する際には２つのカメラユニットを使用し、２次元の通常の画像を撮影する際には何れか一方のカメラユニットのみを使用するというように、使用するカメラユニットを切り替えることにより立体画像の撮影及び通常の画像の撮影を行なうのが一般的である。
【０００４】
このような立体カメラにおいて３次元の撮影及び２次元の撮影を実行する技術として、従来、通常の２次元の映像を撮影する際に２つのカメラユニットを無駄なく用いると共に、３次元の立体映像を簡単に撮影することを目的として、一方のビデオカメラ（上記「カメラユニット」に相当）の撮像レンズにズームレンズを用いると共に、他方のビデオカメラの撮像レンズに固定倍率レンズを用い、通常の２次元画像を撮影するときにはワイドと望遠の拡大された画像を同時に撮影して任意に切り替えられるようにし、３次元画像を撮影するときには電子ズームにより２つのビデオカメラ間のズーム倍率の一致を図って撮影を行うようにした技術があった（例えば、特許文献１参照。）。
【０００５】
【特許文献１】
特開平９−２１５０１２号公報
【０００６】
【発明が解決しようとする課題】
ところで、通常、１つのレンズを有するカメラで人を撮影する場合、被写体となる人の視線がレンズに向けられた状態で撮影すると、得られた写真において被写体の視線は常に写真を見る人の視線と合うようになる。
【０００７】
従って、レンズが１つのみの通常のカメラを用いて撮影を行う場合で、且つこのような視線状態となる写真を得たい場合には、被写体は当該レンズに視線を向ければよい。
【０００８】
しかしながら、上記のような２つのカメラユニットを有する立体カメラでは、２つのレンズが配設されているため、２次元の撮影を行う際に、どちらのカメラユニットのレンズに視線を向けてよいのか分からない、という問題点があった。
【０００９】
また、当該立体カメラでは、立体撮影を行う際に、どの位置に視線を向ければ写真を見る人に視線が向けられるのかが分からない、という問題点もあった。
【００１０】
これに対し、上記特許文献１の技術では、被写体の視線に関しては何ら考慮されておらず、これらの問題点を解決することはできない。
【００１１】
本発明は上記問題点を解決するためになされたものであり、被写体に視線を向ける方向を容易に判断させることのできる立体カメラを提供することを目的とする。
【００１２】
【課題を解決するための手段】
上記目的を達成するために、請求項１記載の立体カメラは、所定間隔隔てて配設された第１の撮像手段及び第２の撮像手段によりそれぞれ被写体像を示す画像情報を取得し、当該画像情報を合成することにより立体画像を生成する立体カメラであって、前記第１の撮像手段及び前記第２の撮像手段のうち何れか一方により前記画像情報を取得する通常撮影又は前記第１の撮像手段及び前記第２の撮像手段の双方により前記画像情報を取得する立体撮影を実行する撮影実行手段と、前記撮影実行手段により実行される撮影の種類に応じて、被写体が人である場合に視線を向ける位置を報知するための報知手段と、を備えている。
【００１３】
請求項１に記載の立体カメラによれば、所定間隔隔てて配設された第１の撮像手段及び第２の撮像手段のうち何れか一方により被写体像を示す画像情報を取得する通常撮影、又は前記第１の撮像手段及び前記第２の撮像手段の双方により前記画像情報を取得する立体撮影が撮影実行手段により実行される。
【００１４】
ここで、本発明では、前記撮影実行手段により実行される撮影の種類に応じて、被写体が人である場合に、当該人に対して視線を向けさせる位置が報知手段により報知される。
【００１５】
すなわち、本発明に係る立体カメラでは、これから通常撮影及び立体撮影の何れの撮影を行うのか、更には、通常撮影を行う場合に適用する撮像手段が第１の撮像手段及び第２の撮像手段の何れであるのかを事前に把握している。この点を利用して、本発明では、報知手段によって視線を向ける位置（具体的には、得られる写真を見た人に視線が向けられる位置）を報知するようにしており、これによって被写体に視線を向ける方向を容易に判断させることができるようにしている。
【００１６】
なお、上記報知手段による報知としては、光の点灯や点滅等による報知、音声による報知、文字や記号等の表示による報知等を例示することができる。
【００１７】
このように、請求項１に記載の立体カメラによれば、第１の撮像手段及び第２の撮像手段のうち何れか一方により画像情報を取得する通常撮影又は第１の撮像手段及び第２の撮像手段の双方により画像情報を取得する立体撮影を実行する際に、実行される撮影の種類に応じて、被写体が人である場合に視線を向ける位置を報知するようにしているので、被写体に視線を向ける方向を容易に判断させることができる。
【００１８】
ところで、本発明の報知手段により報知される視線を向ける位置は、前述したように、得られる写真を見た人に視線が向けられる位置である。この位置は、通常撮影時は撮影時に画像情報が取得される撮像手段における被写体像を結像させるためのレンズの配設位置となり、立体撮影時には、第１の撮像手段及び第２の撮像手段の各々のレンズの中間の位置、第１の撮像手段における被写体を結像させるためのレンズの配置位置及び第２の撮像手段における被写体を結像させるためのレンズの配置位置の何れかとなる。
【００１９】
そこで、本発明は、請求項２に記載の立体カメラのように、前記報知手段を、前記第１の撮像手段における前記被写体像を結像させるための第１のレンズ近傍、前記第２の撮像手段における前記被写体像を結像させるための第２のレンズ近傍及び前記第１のレンズと前記第２のレンズの中間位置と、の少なくとも１つに設けられた発光手段とすることが好ましい。
【００２０】
これにより、通常撮影を行う際には当該撮影に用いる側のレンズの近傍に設けられた発光手段を発光（点滅も含む。）させ、立体撮影を行う際には各レンズの中間位置に設けられた発光手段を発光（点滅も含む。）させることによって、被写体に視線を向ける方向を、より容易に判断させることができる。
【００２１】
なお、本発明において、発光手段は上記３箇所のうち、１箇所にのみ設けてもよいし、複数の位置に設けてもよい。例えば、通常撮影を行う際に使用するレンズが固定的に定められている場合には、当該レンズの近傍のみに発光手段を設けるようにすればよい。これによって、複数箇所に設ける場合に比較して低コスト化することができる。
【００２２】
さらに、請求項３に記載の立体カメラでは、前記第１のレンズ及び前記第２のレンズの少なくとも一方の近傍に設けた発光手段を、当該レンズを囲むように発光するものとしている。
【００２３】
これにより、当該発光手段を点発光するものとした場合に比較して、被写体に対する報知効果を、より向上させることができる。
【００２４】
【発明の実施の形態】
以下、図面を参照して、本発明の実施の形態について詳細に説明する。なお、ここでは、本発明を立体静止画像及び通常（２次元）の静止画像の撮影を行う機能を有するデジタルカメラに適用した場合について説明する。
【００２５】
まず、図１を参照して、本実施の形態に係るデジタルカメラ１０の外観上の構成を説明する。同図に示すように、デジタルカメラ１０の正面には、各々被写体像を結像させるためのレンズ１２Ａ及びレンズ１２Ｂと、発光することにより被写体が人である場合に視線を向ける位置を報知するための発光部９０Ａ〜９０Ｃと、撮影する被写体の構図を決定するために用いられるファインダ７０と、が備えられている。
【００２６】
本実施の形態に係る発光部９０Ａ〜９０Ｃは、各々ＬＥＤ（発光ダイオード）により構成されており、発光部９０Ａはレンズ１２Ａ近傍に、発光部９０Ｂはレンズ１２Ａとレンズ１２Ｂの中間位置に、発光部９０Ｃはレンズ１２Ｂ近傍に、各々配設されている。
【００２７】
また、デジタルカメラ１０の上面には、撮影を実行する際に撮影者によって押圧操作されるレリーズボタン（所謂シャッター）５２Ａと、電源スイッチ５２Ｅと、が備えられている。
【００２８】
なお、本実施の形態に係るレリーズボタン５２Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。そして、本実施の形態に係るデジタルカメラ１０では、レリーズボタン５２Ａを半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００２９】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ５２Ｂと、十字カーソルボタン５２Ｃと、撮影時に被写体像のズーミング（拡大及び縮小）を行うときに操作されるズームスイッチ５２Ｄと、が備えられている。
【００３０】
なお、ＬＣＤ３０には、液晶表示部とバックライトとの間に、該バックライトからの光を部分的に遮る複数の遮光部が所定の間隔毎に設けられた視差バリアが備えられている。視差バリアはスイッチ液晶によって構成されており、オン／オフを切り替えることにより遮光部での遮光／透光が切り替えられる。これにより、立体画像の表示と通常画像の表示とを可能としており、ＬＣＤ３０に立体画像を表示する際には、視差バリアをオンすることによって光を部分的に分散させ、左目用、右目用の画像をそれぞれ左右の目に届くようにする。
【００３１】
また、十字カーソルボタン５２Ｃは、ＬＣＤ３０の表示領域における上・下・左・右の４方向の移動方向を示す４つの矢印キー及び当該４つの矢印キーの中央部に位置された決定キーの合計５つのキーを含んで構成されている。また、ズームスイッチ５２Ｄは、同図の‘Ｔ’の位置に対応し、かつ被写体像を拡大するときに操作されるテレ・スイッチと、同図の‘Ｗ’の位置に対応し、かつ被写体像を縮小するときに操作されるワイド・スイッチと、により構成されている。
【００３２】
一方、デジタルカメラ１０の側面には、撮影によって得られたデジタル画像データが記録可能な記録メディア（ここでは、当該デジタル画像データが画像ファイルとして記録される記録メディア。）を装着することができるスロットＳＬが設けられている。
【００３３】
次に、図２を参照して、本実施の形態に係るデジタルカメラ１０の電気系の構成を説明する。
【００３４】
同図に示すように、デジタルカメラ１０は、前述のレンズ１２Ａを含んで構成された光学ユニット１３Ａと、レンズ１２Ａの光軸後方に配設されたＣＣＤ（電荷結合素子）１４Ａと、相関二重サンプリング回路（以下、「ＣＤＳ」という。）１６Ａと、入力されたアナログ信号をデジタルデータに変換するアナログ／デジタル変換器（以下、「ＡＤＣ」という。）１８Ａと、を含んで構成された第１撮像系８８Ａを備えている。また、デジタルカメラ１０は、前述のレンズ１２Ｂを含んで構成された光学ユニット１３Ｂと、レンズ１２Ｂの光軸後方に配設されたＣＣＤ１４Ｂと、ＣＤＳ１６Ｂと、ＡＤＣ１８Ｂと、を含んで構成された第２撮像系８８Ｂを備えている。
【００３５】
すなわち、本実施の形態に係るデジタルカメラ１０は、互いに同様の構成とされた第１撮像系８８Ａ及び第２撮像系８８Ｂの２つの撮像系を備えており、これらを用いることによって立体撮影を可能としている。なお、通常の２次元の撮影を行う際には、第１撮像系８８Ａ及び第２撮像系８８Ｂの何れか一方が選択的に用いられる。
【００３６】
第１撮像系８８Ａにおいて、ＣＣＤ１４Ａの出力端はＣＤＳ１６Ａの入力端に、ＣＤＳ１６Ａの出力端はＡＤＣ１８Ａの入力端に、各々接続されている。同様に、第２撮像系８８Ｂにおいても、ＣＣＤ１４Ｂの出力端はＣＤＳ１６Ｂの入力端に、ＣＤＳ１６Ｂの出力端はＡＤＣ１８Ｂの入力端に、各々接続されている。
【００３７】
ここで、ＣＤＳ１６Ａ及びＣＤＳ１６Ｂによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３８】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、第１撮像系８８Ａ及び第２撮像系８８Ｂにより得られた２つのデジタル画像データに基づいて右目用の画像及び左目用の画像が合成された立体画像を示すデジタル画像データを生成する立体画像信号処理回路２３と、所定の圧縮形式でデジタル画像データに対して圧縮処理を施す一方、圧縮処理されたデジタル画像データに対して圧縮形式に応じた形式で伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号。）を生成してビデオ出力端子ＯＵＴに出力するビデオ／ＬＣＤエンコーダ２８と、を含んで構成されている。なお、画像入力コントローラ２０の入力端はＡＤＣ１８Ａ及びＡＤＣ１８Ｂの出力端に接続されている。
【００３９】
また、デジタルカメラ１０は、デジタルカメラ１０全体の動作を司るＣＰＵ（中央演算処理装置）３２と、ＡＦ機能を働かせるために必要とされる物理量（本実施の形態では、撮影に用いられているＣＣＤ１４Ａ及びＣＣＤ１４Ｂの少なくとも一方による撮像によって得られた画像のコントラスト値。）を検出するＡＦ検出回路３４と、ＡＥ機能及びＡＷＢ（Ａｕｔｏｍａｔｉｃ  Ｗｈｉｔｅ  Ｂａｌａｎｃｅ）機能を働かせるために必要とされる物理量（本実施の形態では、撮影に用いられているＣＣＤ１４Ａ及びＣＣＤ１４Ｂの少なくとも一方による撮像によって得られた画像の明るさを示す量（以下、「測光データ」という。）。）を検出するＡＥ・ＡＷＢ検出回路３６と、ＣＰＵ３２による各種処理の実行時のワークエリア等として用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成された第１メモリ３８と、主として撮影により得られたデジタル画像データを記憶するＶＲＡＭ（Ｖｉｄｅｏ  ＲＡＭ）により構成された第２メモリ４０と、を含んで構成されている。
【００４０】
更に、デジタルカメラ１０は、スロットＳＬに装着された記録メディア４３をデジタルカメラ１０でアクセス可能とするためのメディアコントローラ４２と、スピーカ７２と、スピーカ７２によって外部に音声情報を出力するための処理を行う音声出力処理部４６と、２系統設けられたマイク（ステレオマイク）とアンプ８４を介して入力された音声情報を示すアナログ信号をデジタルカメラ１０において取り扱うことのできるデジタル音声データに変換する等の処理を行う音声入力処理部８２と、を含んで構成されている。
【００４１】
以上の画像入力コントローラ２０、画像信号処理回路２２、立体画像信号処理回路２３、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、音声出力処理部４６、及び音声入力処理部８２は、各々システムバスＢＵＳを介して相互に接続されている。
【００４２】
従って、ＣＰＵ３２は、画像入力コントローラ２０、画像信号処理回路２２、立体画像信号処理回路２３、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、及び記録メディア４３へのアクセスと、音声出力処理部４６を介したスピーカ７２による音声情報の出力と、マイク、アンプ８４及び音声入力処理部８２を介した音声情報の入力と、を各々行うことができる。
【００４３】
なお、ＬＣＤ３０に設けられた視差バリアはＣＰＵ３２に接続（接続線は図示省略。）されており、視差バリアのオン／オフはＣＰＵ３２により切り替えが行われる。
【００４４】
一方、第１撮像系８８Ａには、主としてＣＣＤ１４Ａを駆動させるためのタイミング信号を生成してＣＣＤ１４Ａに供給するタイミングジェネレータ４８Ａが設けられており、当該タイミングジェネレータ４８Ａの入力端はＣＰＵ３２に、出力端はＣＣＤ１４Ａに、各々接続されており、ＣＣＤ１４Ａの駆動は、ＣＰＵ３２によりタイミングジェネレータ４８Ａを介して制御される。
【００４５】
更に、ＣＰＵ３２は第１撮像系８８Ａに設けられたモータ駆動部５０Ａの入力端に接続され、モータ駆動部５０Ａの出力端は光学ユニット１３Ａに備えられた焦点調整モータ、ズームモータ及び絞り駆動モータに接続されている。
【００４６】
本実施の形態に係る光学ユニット１３Ａに含まれるレンズ１２Ａは複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０Ａから供給された駆動信号によって駆動される。
【００４７】
ＣＰＵ３２は、光学ズーム倍率を変更する際にはズームモータを駆動制御して光学ユニット１３Ａに含まれるレンズの焦点距離を変化させる。
【００４８】
また、ＣＰＵ３２は、ＣＣＤ１４Ａによる撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Ｔｈｒｏｕｇｈ  Ｔｈｅ  Ｌｅｎｓ）方式を採用している。
【００４９】
なお、第２撮像系８８Ｂにも、第１撮像系８８Ａのものと同一の構成とされたタイミングジェネレータ４８Ｂ及びモータ駆動部５０Ｂが備えられており、第１撮像系８８Ａと同様に、これらを介してＣＰＵ３２により、ＣＣＤ１４Ｂの駆動と、光学ユニット１３Ｂに備えられた不図示のレンズ駆動機構に含まれる焦点調整モータ、ズームモータ及び絞り駆動モータの駆動と、が制御される。
【００５０】
更に、前述のレリーズボタン５２Ａ、モード切替スイッチ５２Ｂ、十字カーソルボタン５２Ｃ、ズームスイッチ５２Ｄ、及び電源スイッチ５２Ｅの各種ボタン類及びスイッチ類（図２では、「操作部５２」と総称。）はＣＰＵ３２に接続されており、ＣＰＵ３２は、これらのボタン類及びスイッチ類に対する操作状態を常時把握できる。
【００５１】
また、デジタルカメラ１０には、発光部９０の発光を制御するための発光制御部９２が備えられており、発光制御部９２は、ＣＰＵ３２による制御の下に、立体撮影を行うのか、通常撮影を行うのかに応じて、発光部９０Ａ、９０Ｂ、９０Ｃの発光状態を切り替える。
【００５２】
また、本実施の形態に係るデジタルカメラ１０には、電源回路５４と電池５６が備えられており、電源回路５４は、ＣＰＵ３２による制御の下に、電池５６から入力された電力に基づいて適切な作動用の電力を生成して各部に供給する。なお、錯綜を回避するために、同図では、電源回路５４から電力が供給される各部への接続線の図示を省略している。
【００５３】
更に、本実施の形態に係るデジタルカメラ１０には、クロックジェネレータ８０が備えられており、クロックジェネレータ８０は、ＣＰＵ３２による制御の下に適切なクロック信号を生成して各部に供給する。なお、錯綜を回避するために、同図では、クロックジェネレータ８０からクロック信号が供給される各部への接続線の図示を省略している。
【００５４】
次に、本実施の形態に係るデジタルカメラ１０の作用を説明する。まず、立体撮影時におけるデジタルカメラ１０の全体的な動作の概要を説明する。
【００５５】
第１撮像系８８Ａにおいて、光学ユニット１３Ａを介した撮像によってＣＣＤ１４Ａから出力された被写体像を示す信号が順次ＣＤＳ１６Ａに入力されて相関二重サンプリング処理が施された後にＡＤＣ１８Ａに入力され、ＡＤＣ１８Ａは、ＣＤＳ１６Ａから入力されたＲ（赤）、Ｇ（緑）、Ｂ（青）のアナログ画像信号を各々１２ビットのＲ、Ｇ、Ｂ信号（デジタル画像データ）に変換して画像入力コントローラ２０に出力する。
【００５６】
これに並行して、第２撮像系８８Ｂにおいても、光学ユニット１３Ｂを介した撮像によってＣＣＤ１４Ｂから出力された被写体像を示す信号が順次ＣＤＳ１６Ｂに入力されて相関二重サンプリング処理が施された後にＡＤＣ１８Ｂに入力され、ＡＤＣ１８Ｂは、ＣＤＳ１６Ｂから入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５７】
画像入力コントローラ２０は内蔵しているラインバッファにＡＤＣ１８Ａ及びＡＤＣ１８Ｂから順次入力される２画像分のデジタル画像データを蓄積して一旦第２メモリ４０の所定領域に格納する。
【００５８】
第２メモリ４０の所定領域に格納された２画像分のデジタル画像データは、ＣＰＵ３２による制御下で画像信号処理回路２２によって読み出され、これらにＡＥ・ＡＷＢ検出回路３６により検出された物理量（測光データ）に応じたデジタルゲインをかけることでホワイトバランス調整を行うと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、これら２画像分のＹＣ信号を立体画像信号処理回路２３により合成して立体画像を示すＹＣ信号を生成し、当該ＹＣ信号を第２メモリ４０の上記所定領域とは異なる領域に格納する。
【００５９】
ここで、立体画像信号処理回路２３では、第１撮像系８８Ａ及び第２撮像系８８Ｂにより得られたＹＣ信号を、それぞれ右目用、左目用の画像を示すＹＣ信号として認識し、これら２画像分のＹＣ信号に基づいて、上記右目用、左目用の画像がＬＣＤ３０の視差バリアにおける遮光部の配設間隔に応じた幅で交互に配列された状態の立体画像を示すＹＣ信号を合成により生成する。
【００６０】
なお、ＬＣＤ３０は、各撮像系による連続的な撮像によって得られた動画像（スルー画像）を表示してファインダとして使用することができるものとして構成されているが、このようにＬＣＤ３０をファインダとして使用する場合には、第２メモリの所定領域に格納された立体画像を示すＹＣ信号を、ビデオ／ＬＣＤエンコーダ２８を介して順次ＬＣＤ３０に出力する。これによってＬＣＤ３０にスルー画像が表示されることになる。このとき、ＣＰＵ３２は、ＬＣＤ３０における視差バリアをオンするように制御する。
【００６１】
ここで、レリーズボタン５２Ａがユーザによって全押し状態とされたときには、その時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４３に記録する。
【００６２】
ところで、本実施の形態に係るデジタルカメラ１０では、ユーザによるモード切替スイッチ５２Ｂの操作により撮影モードが選択されると、以上のような立体撮影時の動作も含まれる撮影処理を実行する。
【００６３】
図３は、このときＣＰＵ３２において実行される撮影処理プログラムの処理の流れを示すフローチャートであり、以下、同図を参照して本実施の形態に係る撮影処理について説明する。
【００６４】
なお、本実施の形態では、ＬＣＤ３０に表示される不図示のメニュー画面からデジタルカメラ１０の動作状態を設定するための項目が選択されることにより、デジタルカメラ１０で取扱う画像の種類に関するモード（立体モード又は通常モード）が予め選択されているものとして説明する。
【００６５】
ステップ１００では、上記デジタルカメラ１０で取扱う画像の種類に関するモードとして立体モードが選択されているか否かを判定する。当該判定が肯定判定である場合は、ステップ１０２に移行し、ＬＣＤ３０における視差バリアをオンすると共に、第１撮像系８８Ａ及び第２撮像系８８Ｂを駆動可能として、撮影により立体画像を取得する立体撮影モードを設定し、その後にステップ１０６に移行する。
【００６６】
一方、ステップ１００で否定判定となった場合は、ステップ１０４に移行して、ＬＣＤ３０における視差バリアをオフすると共に、予め定められた撮像系（本実施の形態では第１撮像系８８Ａとする。）のみを駆動可能として、撮影により通常の２次元画像の取得する通常撮影モードを設定し、その後にステップ１０６に移行する。
【００６７】
なお、ステップ１０２及びステップ１０４において実行される各撮影モードの設定には、上述したＬＣＤ３０における視差バリアのオン／オフ設定及び第１撮像系８８Ａ及び第２撮像系８８Ｂに対する駆動設定の他、立体画像信号処理回路を含む各種処理回路に対する設定等が含まれる。
【００６８】
次のステップ１０６では、ユーザによりレリーズボタン５２Ａが半押し状態とされたか否かを判定し、ステップ１０６が肯定判定となると、ステップ１０７に移行して、ＡＥ機能及びＡＦ機能によりそれぞれ露出状態及び合焦状態の設定を行なう。
【００６９】
ここで、デジタルカメラ１０では、撮影時に発光部９０の発光状態により被写体が人である場合に視線を向ける位置を報知するようにしており、この発光部９０の発光状態は上述したデジタルカメラ１０で取扱う画像の種類に関するモードによって異なる。
【００７０】
そこで、次のステップ１０８では、立体撮影モードか否かを判定しており、当該判定が肯定判定となった場合はステップ１１０に移行して、発光制御部９２を介して発光部９０の発光状態を立体撮影に応じた発光状態とし、ステップ１１６に移行する。
【００７１】
すなわち、立体撮影は第１撮像系８８Ａ及び第２撮像系８８Ｂの双方により行なわれるため、発光制御部９２では、レンズ１２Ａとレンズ１２Ｂとの中間位置に配設された発光部９０Ｂを発光させる。
【００７２】
一方、ステップ１０８で否定判定となった場合は、ステップ１１２に移行して、発光制御部９２を介して発光部９０の発光状態を通常撮影に応じた発光状態とし、ステップ１１６に移行する。
【００７３】
すなわち、通常撮影は第１撮像系８８Ａにより行なわれるため、発光制御部９２では、レンズ１２Ａの近傍位置に配設された発光部９０Ａを発光させる。
【００７４】
これにより、被写体が人である場合には、被写体は発光している発光部９０近傍のレンズ１２Ａ又はレンズ１２Ｂに視線を向ければよいことが把握できる。なお、発光部９０Ｂが発光している場合には、被写体が発光部９０Ｂ自体を見てもよい。
【００７５】
次のステップ１１６では、ユーザによってレリーズボタン５２Ａが全押し状態とされたか否かを判定する。ステップ１１６の判定が否定判定となった場合はステップ１１８に移行して、レリーズボタン５２Ａが押圧状態から復帰されたか否かを判定し、当該判定が否定判定である場合は再びステップ１１６に戻る。また、ステップ１１８で肯定判定となった場合は、ステップ１２０に移行して、発光制御部９２を介して発光させていた発光部９０の発光を停止させ、その後に再びステップ１０６に戻る。
【００７６】
一方、ステップ１１６で肯定判定となった場合は、記録メディア４３に被写体像を示すＹＣ信号を記録すべく、ステップ１２２に移行して、発光制御部９２を介して発光させていた発光部９０の発光を停止させ、その後にステップ１２４に移行して、第２のメモリの所定領域に格納された被写体像を示すＹＣ信号を記録メディア４３に記録する。
【００７７】
これにより、発光部９０の発光が停止された後に取得されている上記ＹＣ信号を記録メディア４３に記録しているため、発光部９０を発光させても当該撮影処理により得られた画像に影響が表われる恐れがない。
【００７８】
次のステップ１２６では、撮影に関する全ての処理が終了したか否かを判定し、当該判定が肯定判定となると、再びステップ１０６に戻る。
【００７９】
なお、本撮影処理は、モード切替スイッチ５２Ｂがユーザににより操作されることによりデジタルカメラ１０の動作モードが再生モードとなった場合や、ユーザの操作により図示しないメニュー画面等の表示が指示された場合に終了する。
【００８０】
以上詳細に説明したように、本実施の形態に係るデジタルカメラ１０によれば、第１撮像系８８Ａ及び第２撮像系８８Ｂのうち何れか一方により画像情報を取得する通常撮影又は第１撮像系８８Ａ及び第２撮像系の双方により画像情報を取得する立体撮影を実行する際に、実行される撮影の種類に応じて、被写体が人である場合に視線を向ける位置を報知するようにしているので、被写体に視線を向ける方向を容易に判断させることができる。
【００８１】
また、本実施の形態に係るデジタルカメラ１０によれば、第１撮像系８８Ａにおける被写体像を結像させるためのレンズ１２Ａ近傍に設けられた発光部９０Ａ、レンズ１２Ａと第２撮像系８８Ｂにおける被写体像を結像させるためのレンズ１２Ｂの中間位置に設けられた発光部９０Ｂ及びレンズ１２Ｂ近傍に設けられた発光部９０Ｃの発光状態により視線を向ける位置を報知するようにしているので、被写体が人である場合、発光している発光部９０近傍のレンズ１２Ａ又は１２Ｂに視線を向ければよいことが容易に把握でき、被写体の視線を自然な方向に向けて撮影できる。
【００８２】
なお、本実施の形態では、通常撮影モードにおいて駆動する撮像系が予め定められているものとして説明したが、デジタルカメラ１０の設定として、ユーザにより選択された撮像系を駆動するようにしてもよい。
【００８３】
また、本実施の形態では、発光部を３箇所に設けた構成にとして説明したが、予め通常撮影モードにおいて所定の撮像系のみを駆動するように設計されている場合等には、発光部９０は２つのレンズの中間位置及び上記所定の撮像系に対応するレンズ近傍の２箇所だけ、又は上記撮像系に対応するレンズ近傍の１箇所だけに設けてもよい。
【００８４】
さらに、本実施の形態では、立体画像の撮影時に２つのレンズの中間位置の発光部９０Ｂを発光させる形態について説明したが、本発明はこれに限定されるものではなく、立体画像の撮影時に２つのレンズ近傍にそれぞれ設けられた発光部９０Ａ及び発光部９０Ｃの双方を発光させてもよい。この場合、２つのレンズの中間位置の発光部９０Ｂは設けなくてもよい。
【００８５】
なお、本実施の形態では、発光部９０Ａ、９０Ｂ、９０Ｃをそれぞれ１個の発光素子により構成した場合について説明したが、本発明はこれに限定されるものではない。
【００８６】
例えば、一例として図４に示すように、レンズ１２Ａ及びレンズ１２Ｂを囲むように複数の発光素子（例えば、ＬＥＤ。）がリング状に配設された発光部９１Ａ、９１Ｃと、レンズ１２Ａとレンズ１２Ｂの中間位置に配置された１個の発光素子により構成された９１Ｂとにより構成してもよい。これにより、視線を向ける方向を被写体により容易に把握させることができる。
【００８７】
また、本実施の形態では、ＣＣＤ３０の液晶表示部とバックライトとの間に、該バックライトからの光を部分的に遮る複数の遮光部が所定の間隔毎に設けられた視差バリアが備えられており、当該視差バリアのオン／オフにより立体画像及び通常画像を表示可能に構成した形態について説明したが、本発明はこれに限定されるものではなく、立体画像及び通常画像を表示可能な構成であればよい。このような構成としては、例えば、液晶表示部の表示面に所定の間隔でレンチキュラーレンズを重ね、立体モードと通常モードとでレンチキュラーレンズと液晶表示部との間隔を変化させることにより立体画像及び通常画像を表示可能にする構成がある。
【００８８】
なお、本実施の形態で説明したフローチャート（図３参照）の処理の流れは一例であり、本発明の主旨を逸脱しない範囲内において適宜変更可能であることは言うまでもない。
【００８９】
また、以上のデジタルカメラ１０の構成（図１、図２及び図４参照）は一例であり、本発明の主旨を逸脱しない範囲内において適宜変更可能であることは言うまでもない。
【００９０】
例えば、本実施の形態では、立体画像信号処理回路２３において、画像信号処理回路２２により得られたＹＣ信号を合成する場合について説明したが、本発明はこれに限定されるものではなく、ＹＣ信号に変換される前のデジタル画像データ（Ｒ、Ｇ、Ｂのデータ）を合成する形態とすることもできる。この場合、立体画像信号処理回路２３によって合成されたデジタル画像データを画像信号処理回路２２によりＹＣ信号に変換することになる。この場合にも、本実施の形態と同様の効果を奏することができる。
【００９１】
【発明の効果】
以上説明したように、本発明に係る立体カメラによれば、第１の撮像手段及び第２の撮像手段のうち何れか一方により画像情報を取得する通常撮影又は第１の撮像手段及び第２の撮像手段の双方により画像情報を取得する立体撮影を実行する際に、実行される撮影の種類に応じて、被写体が人である場合に視線を向ける位置を報知するようにしているので、被写体に視線を向ける方向を容易に判断させることができる、という優れた効果を有する。
【図面の簡単な説明】
【図１】実施の形態に係るデジタルカメラの外観を示す外観図である。
【図２】実施の形態に係るデジタルカメラの電気系の構成を示すブロック図である。
【図３】ＣＰＵが実行する撮影処理プログラムの処理の流れを示すフローチャートである。
【図４】デジタルカメラの他の構成例を示す外観図である。
【符号の説明】
１０    デジタルカメラ
１２Ａ    レンズ（第１のレンズ）
１２Ｂ    レンズ（第２のレンズ）
３２    ＣＰＵ（撮影実行手段）
８８Ａ    第１撮像系（第１の撮像手段）
８８Ｂ    第２撮像系（第２の撮像手段）
９０、９１    発光部（報知手段）
９２    発光制御部
【図１】
2005037517.tif 000003
【図２】
2005037517.tif 000004
【図３】
2005037517.tif 000005
【図４】
2005037517.tif 000006